(57)【要約】【課題】表示装置の消費電力の低減。【解決手段】表示装置に電力を供給する通常状態と前記表示装置に電力を供給しない節電状態とを備えた印刷装置を制御するプロセッサーを、前記節電状態で物理キーである第１キーが操作されると前記表示装置に電力を供給しない状態で印刷機構に印刷処理を実行させる印刷制御部、として機能させる印刷制御プログラムを構成する。【選択図】図１
2019147285.tif 000002
【特許請求の範囲】
【請求項１】
表示装置に電力を供給する通常状態と前記表示装置に電力を供給しない節電状態とを備えた印刷装置を制御するプロセッサーを、
前記節電状態で物理キーである第１キーが操作されると前記表示装置に電力を供給しない状態で印刷機構に印刷処理を実行させる印刷制御部、
として機能させる印刷制御プログラム。
【請求項２】
表示装置に電力を供給する通常状態と前記表示装置に電力を供給しない節電状態とを備えた表示システムであって、
物理キーである第１キーと、
前記節電状態で前記第１キーが操作されると前記表示装置に電力を供給しない状態で第１処理機構に第１処理を実行させるプロセッサーと、
を備える表示システム。
【請求項３】
前記プロセッサーは、
前記節電状態で前記第１キーが操作されると前記第１処理が終了するまで前記表示装置に電力を供給せず、前記第１処理が終了すると前記表示装置に電力を供給しないまま前記節電状態にする、
請求項２に記載の表示システム。
【請求項４】
前記第１処理機構は、
前記通常状態では電力供給が行われ、前記節電状態では電力供給が行われず、
前記プロセッサーは、
前記節電状態で前記第１キーが操作されると前記第１処理機構に電力供給を開始させてから前記第１処理を実行させ、前記第１処理が終了したことに応じて電力供給を終了させる、
請求項２〜請求項３のいずれかに記載の表示システム。
【請求項５】
前記プロセッサーは、
前記通常状態で前記第１キーが操作されると前記第１処理と異なる第２処理を第２処理機構に実行させる、
請求項２〜請求項４のいずれかに記載の表示システム。
【請求項６】
前記第１キーには、
前記第１処理を示すマークが記されている、
請求項５に記載の表示システム。
【請求項７】
前記物理キーである第２キーをさらに備え、
前記プロセッサーは、
前記節電状態で前記第２キーが操作されると、前記表示装置に電力供給を開始して前記通常状態にする、
請求項２〜請求項６のいずれかに記載の表示システム。
【請求項８】
前記表示装置は、
タッチパネルディスプレイであり、前記節電状態で前記タッチパネルディスプレイが備えるタッチパネルがタッチされても前記節電状態を維持する、
請求項２〜請求項７のいずれかに記載の表示システム。
【請求項９】
前記節電状態では、
前記タッチパネルのタッチを検知する検知機構に電力が供給されない、
請求項８に記載の表示システム。
【発明の詳細な説明】
【技術分野】
【０００１】
本発明は、印刷制御プログラムおよび表示システムに関する。
【背景技術】
【０００２】
従来、プリンター等の電子機器において、消費電力を低減するための技術が知られている。例えば、特許文献１においては、各種のモードの遷移シーケンスを制御することによって不要な消費電力を低減する技術が開示されている。
【先行技術文献】
【特許文献】
【０００３】
【特許文献１】特開２０１０−４１５０号公報
【発明の概要】
【発明が解決しようとする課題】
【０００４】
表示装置を備える電子機器においては、少しでも消費電力を下げることが好ましく、表示装置の消費電力の低減が課題になってきた。
本発明は、表示装置の消費電力を低減することを目的とする。
【課題を解決するための手段】
【０００５】
上記目的を達成するための印刷制御プログラムは、表示装置に電力を供給する通常状態と表示装置に電力を供給しない節電状態とを備えた印刷装置を制御するプロセッサーを、節電状態で物理キーである第１キーが操作されると表示装置に電力を供給しない状態で印刷機構に印刷処理を実行させる印刷制御部、として機能させる。以上の構成によれば、利用者は、第１キーを操作することによって、節電状態から通常状態に移行することなく印刷機構に印刷処理を実行させることができる。従って、表示装置の消費電力を低減することができる。
【０００６】
上記目的を達成するための表示システムは、表示装置に電力を供給する通常状態と表示装置に電力を供給しない節電状態とを備えた表示システムであって、物理キーである第１キーと、節電状態で第１キーが操作されると表示装置に電力を供給しない状態で第１処理機構に第１処理を実行させるプロセッサーと、を備える。以上の構成によれば、利用者は、第１キーを操作することによって、節電状態から通常状態に移行することなく第１処理機構に第１処理を実行させることができる。従って、表示装置の消費電力を低減することができる。
【０００７】
さらに、プロセッサーは、節電状態で第１キーが操作されると第１処理が終了するまで表示装置に電力を供給せず、第１処理が終了すると表示装置に電力を供給しないまま節電状態にする構成であっても良い。この構成によれば、表示装置に電力を供給しない状態で第１処理を開始し、終了させることができる。
【０００８】
さらに、第１処理機構は、通常状態では電力供給が行われ、節電状態では電力供給が行われず、プロセッサーは、節電状態で第１キーが操作されると第１処理機構に電力供給を開始させてから第１処理を実行させ、第１処理が終了したことに応じて電力供給を終了させる構成であっても良い。この構成によれば、第１処理機構において電力が必要ではない場合には電力を供給しないため、第１処理機構の処理電力を低減することができる。
【０００９】
さらに、プロセッサーは、通常状態で第１キーが操作されると第１処理と異なる第２処理を第２処理機構に実行させる構成であっても良い。この構成によれば、通電状態と、節電状態とのそれぞれに合わせた機能を第１キーで実行可能になる。
【００１０】
さらに、第１キーには、第１処理を示すマークが記されている構成であっても良い。この構成によれば、利用者は、表示装置を視認しなくても第１処理機構に第１処理を実行させることができる。
【００１１】
さらに、物理キーである第２キーを備え、プロセッサーは、節電状態で第２キーが操作されると、表示装置に電力供給を開始して通常状態にする構成であっても良い。この構成によれば、第２キーによって容易に通電状態に移行することができる。
【００１２】
さらに、表示装置は、タッチパネルであって、節電状態でタッチパネルがタッチされても節電状態を維持する構成であっても良い。この構成によれば、タッチパネルへの意図しないタッチによって節電状態が解除されてしまうことを防止することができる。
【００１３】
さらに、節電状態では、タッチパネルのタッチを検知する検知機構に電力が供給されない構成であっても良い。この構成によれば、タッチパネルへの意図しないタッチによって節電状態が解除されることを容易に防止することができる。
【図面の簡単な説明】
【００１４】
【図１】複合機の構成を示すブロック図。
【図２】物理キーの例を示す図。
【図３】操作受付処理を示すフローチャート。
【図４】操作受付処理を示すフローチャート
【図５】操作受付処理を示すフローチャート
【図６】操作受付処理を示すフローチャート
【図７】操作受付処理を示すフローチャート
【発明を実施するための形態】
【００１５】
ここでは、下記の順序に従って本発明の実施の形態について説明する。
（１）表示システムの構成：
（２）操作受付処理：
（２−１）デフォルト選択モード：
（２−２）お気に入り選択モード：
（２−３）印刷部数入力モード：
（２−４）キャンセル受け付け処理：
（３）動作例：
（４）他の実施形態：
【００１６】
（１）表示システムの構成：
図１は、本発明の実施形態にかかる表示システムを含む複合機１の構成を示すブロック図である。複合機１は、プロセッサー１０と、不揮発性メモリー２０と、表示装置３０と、物理キー３５と、通信部４０と、印刷部５０と、電源回路５５と、読取部６０とを備える。プロセッサー１０は、図示しないＣＰＵやＲＯＭやＲＡＭ等を備え、不揮発性メモリー２０に記録された種々のプログラムを実行し複合機１の各部を制御することができる。
【００１７】
不揮発性メモリー２０には、プロセッサー１０が実行する図示しないプログラムや表示データ２０ａが記録される。表示データ２０ａは、表示装置３０に表示する画面を構成するオブジェクト（例えばアイコンやボタン等）の画像を示すデータである。プロセッサー１０は、表示データ２０ａを参照して様々なオブジェクトを含む画面を表示装置３０に表示し、各種のユーザーインターフェースを形成することができる。
【００１８】
表示装置３０は、タッチパネルディスプレイであり、表示パネルと、表示パネルに重ねられたタッチパネルとを備える。表示装置３０は、プロセッサー１０の制御に従って様々な情報を表示パネルに表示する。また、表示装置３０はタッチパネルに対する人の指やスタイラス等による接触（以後タッチと呼ぶ）を検出する検知機構を備え、タッチ位置をプロセッサー１０に出力する。プロセッサー１０は、検知機構から取得した上記の情報に基づいて表示装置３０に対する利用者の操作内容を取得することができ、当該操作内容に対応する処理を実行することができる。
【００１９】
なお、本実施形態において表示パネルは液晶表示パネルであり、後述する電源回路５５から電力の供給を受けた状態でバックライトを点灯させ、画素毎の液晶の透過量を制御することによって各種の画像を表示することが可能である。従って、表示装置３０に電力が供給されず、表示パネルに電力が表示されていなければ表示装置３０における表示は行われない。また、検知機構は、後述する電源回路５５から電力の供給を受けた状態でタッチパネルに対するタッチを検出し、タッチ位置を出力することができる。従って、表示装置３０に電力が供給されず、検知機構に電力が供給されていなければ表示装置３０のタッチパネルに対する検知は行われない。
【００２０】
物理キー３５は、複合機１に設けられたボタンであり、プロセッサー１０は物理キー３５の出力信号に基づいて利用者が操作した物理キー３５を特定することができる。本実施形態において物理キー３５には、第１キーと第２キーと第３キーとが含まれている。図２は、物理キー３５の一例を示す図である。第１キーは、実行対象の処理の指定、各処理の実行指示、各処理におけるパラメーター（印刷部数等）の指定等を行うためのキーである。本実施形態において第１キーは、０〜９の数字キーと＊キーと＃キーであり、それぞれを示す文字が各キーに記されている。図２においては符号Ｋ1によって第１キーを示している。
【００２１】
第２キーは、第１キーによる操作のキャンセル、節電状態の解除等を行うためのキーである。本実施形態において第２キーはクリアを意味する文字であるＣが記されたＣキーであり、図２においては符号Ｋ2によって第２キーを示している。第３キーは、第１キーおよび第２キーではない物理キーであり、本実施形態においては専用の機能が割り当てられたキーである。図２においては、複合機１の電源をオン、オフするキーＫ31と処理の開始（印刷やスキャンの開始等）を指示するキーＫ32とが示されている。
【００２２】
通信部４０は、複合機１に装着された各種のリムーバブルメモリーや、有線または無線で複合機１に接続された機器と通信するためのインターフェース回路を含む。プロセッサー１０は、当該通信部４０を介して接続された機器に記録されたファイルを印刷対象として取得することができる。
【００２３】
印刷部５０は、インクジェット方式や電子写真方式等の周知の印刷方式で種々の印刷媒体に印刷を実行するためのアクチュエーターやセンサーや駆動回路や機械部品を備えている。読取部６０は、原稿台に載置された原稿に発光し原稿からの反射光を受光してスキャンデータとする周知のカラーイメージセンサーや光源や、原稿を搬送するためのアクチュエーターや駆動回路やセンサーや機械部品を備えている。なお印刷部５０や読取部６０はＡＤＦを備えていてもよい。
【００２４】
電源回路５５は、図示しない外部電源から供給される電力の周波数および電圧を変換し、表示装置３０や印刷部５０、読取部６０に供給する。例えば、電源回路５５は、交流電圧を表示装置３０が備える表示パネル、検知機構のそれぞれに適した電圧の直流電圧に変換し、表示パネル、検知機構のそれぞれに供給する。また、電源回路５５は、印刷部５０や読取部６０に対しても、印刷部５０や読取部６０が備える各部に適した電圧を生成し、供給する。図１においては、電源回路５５からの電力の供給先を矢印によって示している。
【００２５】
本実施形態において、電源回路５５は、図示しないインターフェースを介してプロセッサー１０と接続されており、プロセッサー１０によって動作が制御される。すなわち、電源回路５５は、プロセッサー１０が出力する制御信号に基づいて電力変換の実施、不実施を選択可能である。また、電源回路５５は、プロセッサー１０が出力する制御信号に基づいて電力供給の対象を選択可能である。従って、電源回路５５は、プロセッサー１０の指示によって電力の供給対象を選択可能であり、特定の電圧による電力供給の必要がない場合、当該電圧を生成するための電力変換を不実施にすることができる。
【００２６】
プロセッサー１０が実行する種々のプログラムには、電力制御プログラムや操作受付プログラム、表示制御プログラムが含まれる。電力制御プログラムは、プロセッサー１０を電力制御部として機能させる。プロセッサー１０は、電力制御部の機能により、電源回路５５における動作を制御することができる。本実施形態において、電源回路５５は複数種類の状態で動作する。すなわち、複合機１の起動直後には通常状態となり、物理キー３５に対する操作が行われることなく一定時間が経過すると節電状態となる。また、節電状態において物理キー３５で既定の操作が行われると、プロセッサー１０は、節電状態を通常状態に切り替える。さらに、節電状態において物理キー３５の第１キーで所定の指示が行われると、プロセッサー１０は、表示装置３０に対する電力の供給を停止したまま印刷部５０と読取部６０との少なくとも一方に電力を供給して印刷部５０と読取部６０との少なくとも一方による処理を行わせることができる。
【００２７】
通常状態は、プロセッサー１０と、不揮発性メモリー２０と、表示装置３０と物理キー３５と、通信部４０と、印刷部５０と読取部６０とに電力が供給されている状態であり、通常状態においてプロセッサー１０は、電源回路５５に制御信号を出力して電力変換を実施させ、表示装置３０、印刷部５０、読取部６０で必要とされる電力を出力させる。節電状態は、すくなくとも表示装置３０に電力が供給されないことで通常状態よりも消費電力が低下している状態である。通常、節電状態は、表示装置３０と印刷部５０と読取部６０とに電力が供給されていない状態であり、プロセッサー１０と、不揮発性メモリー２０と、物理キー３５と、通信部４０と、とには電力が供給されている状態である。節電状態においてプロセッサー１０は、電源回路５５に制御信号を出力して表示装置３０と印刷部５０と読取部６０とに電力を供給するための電力変換を実施させない。このため、表示装置３０と印刷部５０と読取部とのいずれにも電力が供給されない。本実施例における節電状態は、物理キー３５に対して後述のように操作が行われたり、通信部４０を介して外部装置から印刷を指示する印刷ジョブや画像読取を指示する読取ジョブが来たりすることを待っている状態である。通信部４０を介して外部装置から複合機１の状態を知らせるように指示が来た場合など、一部の指示に対しては節電状態のままプロセッサー１０が処理しても良い。
【００２８】
操作受付プログラムは、節電状態において実行され、プロセッサー１０を操作受付部１０ａとして機能させる。利用者が、節電状態において物理キー３５の第１キーおよび第２キーを操作すると、プロセッサー１０は、操作受付部１０ａの機能により、操作されたキーを特定し、操作されたキーに応じた処理を実行する。すなわち、節電状態であることによって表示装置３０に各種の画像が表示されていない状態であっても、利用者は各種の処理を実行させることができる。
【００２９】
本実施形態において節電状態では、第１キーに対する操作によって印刷部５０を利用した印刷処理や読取部６０を利用したスキャン処理、読取部６０および印刷部５０を利用したコピー処理を実施可能であり、第２キーに対する操作によって第１キーによる操作のキャンセルや節電状態の解除を実行可能である。複合機１で実行される各種の処理が第１処理となり得るが、ここでは、読取部６０で原稿が読み取られた後、読み取り結果が印刷部５０によって印刷されるコピー処理を中心にして第１処理を説明する。また、節電状態において第１処理を実行する印刷部５０および読取部６０は第１処理機構として機能していることになる。また、節電状態で印刷処理を実行する印刷部５０は印刷機構として機能している。コピー処理が印刷処理の１種であると見なせば、印刷部５０および読取部６０が印刷機構であると見なすこともできる。
【００３０】
なお、節電状態において、表示装置３０、印刷部５０、読取部６０には電源回路５５から電力が供給されていないが、第１キーの操作が行われて第１処理としてのコピー処理を実行する際には印刷部５０および読取部６０に電力が供給される。すなわち、プロセッサー１０は、第１キーの操作が行われて第１処理としてのコピー処理を実行する前に、電源回路５５に制御信号を出力して第１処理に必要な第１処理機構（コピー処理であれば印刷部５０および読取部６０）に電力を供給させる。そして、プロセッサー１０は、この状態で読取部６０を制御して画像データを生成し、画像データを印刷するための印刷データを生成して印刷部５０に転送することでコピーを実行する。
【００３１】
印刷部５０および読取部６０によるコピー処理が完了すると、プロセッサー１０は、電源回路５５に制御信号を出力し、印刷部５０および読取部６０に対する電力の供給を停止させる。従って、本実施形態においてプロセッサー１０は、節電状態で第１キーが操作されると第１処理機構としての印刷部５０および読取部６０に電力供給を開始させてから第１処理を実行させ、第１処理が終了したことに応じて電力供給を終了させる。この構成によれば、第１処理機構において電力が必要ではない場合には電力を供給しないため、第１処理機構の処理電力を低減することができる。
【００３２】
一方、第１キーの操作が行われて第１処理としてのコピー処理を実行する際、表示装置３０に電力が供給されない。すなわち、プロセッサー１０は、表示装置３０に対する電力の供給を行うための制御信号を電源回路５５に対して出力しない。この結果、本実施形態においては、節電状態で第１キーが操作されると表示装置３０に電力を供給しない状態で第１処理機構である印刷部５０および読取部６０に第１処理を実行させる。このため、利用者は、第１キーを操作することによって、節電状態から通常状態に移行することなく第１処理機構に第１処理を実行させることができる。従って、表示装置３０の消費電力を低減することができる。
【００３３】
さらに、本実施形態においては、節電状態で第１キーが操作されると第１処理が終了するまで表示装置３０に電力を供給せず、第１処理が終了すると表示装置３０に電力を供給しないまま節電状態にする。この構成によれば、表示装置３０に電力を供給しない状態で第１処理を開始し、終了させることができる。
【００３４】
なお、プロセッサー１０は、節電状態で第２キーが操作されると、表示装置３０に電力供給を開始して通常状態にする。本実施形態においては、第２キーにおいて特殊な操作（第１処理の実行では現れない操作）によって通常状態に移行するように構成されている。特殊な操作は、種々の操作であって良いが、本実施形態においては、第２キーであるＣキーを連続してｎ回（ｎは１以上の整数：例えば３）押す操作や、Ｃキーを連続してｍ秒（例えば３秒）以上押す操作が特殊な操作として定義されている。
【００３５】
利用者が当該第２キーによる特殊な操作を行った場合、プロセッサー１０は、電源回路５５を制御し、表示装置３０および印刷部５０および読取部６０に電力を供給する通常状態に移行させる。以上の構成によれば、第１キーによる操作によって意図せずに通常状態に移行しないように構成しながら、第２キーによって容易に通電状態に移行する構成を実現することができる。むろん、通常状態から節電状態に移行する操作（例えば、第２キーでの特殊操作）が設定されていても良い。
【００３６】
なお、本実施形態においては、節電状態で表示装置３０のタッチパネルがタッチされても節電状態が維持される。すなわち、節電状態では、表示装置３０の検知機構に電力が供給されないため、表示装置３０のタッチパネルに対してタッチ操作が行われてもタッチ操作は検知されない。このため、節電状態においてプロセッサー１０は、表示装置３０からのタッチパネルに対する操作内容を取得することはできず、タッチパネルに対する操作によって節電状態を解除することもない。従って、利用者が意図せずに表示装置３０のタッチパネルに触れるなどの操作により、利用者が意図せずに節電状態を解除して通常状態に移行してしまうことはない。
【００３７】
一方、表示制御プログラムは、通常状態において実行され、プロセッサー１０を表示制御部として機能させる。プロセッサー１０は、表示制御部の機能により、表示装置３０に対して各種のオブジェクトを表示し、表示されたオブジェクトに対する操作を受け付ける。すなわち、プロセッサー１０は、表示制御部の機能により、表示装置３０上の既定の位置に表示データ２０ａが示すオブジェクトを表示させ、ソフトキーとして機能させる。従って、通常状態において利用者は、表示装置３０の表示パネルに表示された各種の内容に応じてタッチパネルに対して各種の操作を行うことで、容易に希望の処理を行わせるための指示を行うことができる。
【００３８】
なお、通常状態においても物理キー３５を利用可能である。本実施形態において、第１キーには、第１処理と異なる第２処理が通常状態では割り当てられている。すなわち、プロセッサー１０は、通常状態で第１キーが操作されると第１処理と異なる第２処理を印刷部５０および読取部６０またはその一方に実行させる。従って、本実施形態において印刷部５０および読取部６０は第２処理機構としても機能する。
【００３９】
本実施形態においてプロセッサー１０は、第１処理と異なる種類の第２処理を実行可能である。第１処理と異なる種類の第２処理は、種々の処理であって良い。例えば、複合機１に装着されたリムーバブルメモリーに記録されたファイル一覧を表示装置３０の表示パネルに表示させ、ファイルの選択を受け付ける処理を第２処理として実行可能であり、第１処理として実行できない構成であっても良い。
【００４０】
さらに、第１処理と同種の処理が第２処理として実行可能であっても良い（例えば、モノクロコピー処理が第１処理、第２処理の双方に含まれる等）。ただし、同種の処理が第１処理、第２処理に含まれている場合、同種の処理を起動するために行うべき第１キーの操作は節電状態と通常状態とで異なる。すなわち、同種の処理を起動するために、節電状態において第１キーで行われる操作と、通常状態において第１キーで行われる操作とは異なる。例えば、節電状態においては、数字キーで機能を選択した後に＃キーが押されたことによってあるコピー処理が実行され、通常状態においては、数字キーで機能を選択した後にソフトキーが押されたことによって当該コピー処理が実行される構成等が採用可能である。いずれにしても、以上の構成によれば、通電状態と、節電状態とのそれぞれに合わせた機能を第１キーで実行可能になる。
【００４１】
（２）操作受付処理：
次に、図１に示す複合機１のプロセッサー１０が操作受付部１０ａの機能によって実行する操作受付処理を説明する。図３〜図７は、操作受付処理を示すフローチャートである。節電状態が開始されると、プロセッサー１０は、操作受付処理を開始する。操作受付処理において、プロセッサー１０は、物理キー３５の出力信号を監視し、物理キー３５による操作を受け付ける（ステップＳ１００）。ステップＳ１００において物理キー３５の操作が受け付けられると、プロセッサー１０は、操作されたキーがＣキーであるか否かを判定する（ステップＳ１０５）。
【００４２】
ステップＳ１０５において、操作されたキーがＣキーであると判定されると、プロセッサー１０は、Ｃキーのカウントをカウントアップする（ステップＳ１１０）。すなわち、本実施形態においては、Ｃキーが押された回数をカウントするためのカウント変数が予め用意されており、初期値は０に設定されている。ステップＳ１１０が実行されると、プロセッサー１０は、当該カウント変数をインクリメントする。
【００４３】
次に、プロセッサー１０は、Ｃキーのカウントが閾値ｎ以上であるか否かを判定し（ステップＳ１１５）、Ｃキーのカウントが閾値ｎ以上であると判定された場合、通常状態へ移行する（ステップＳ１２０）。すなわち、プロセッサー１０は、電源回路５５に制御信号を出力して動作を開始させ、表示装置３０、印刷部５０および読取部６０に対する電力の供給を開始させる。
【００４４】
一方、ステップＳ１１５において、Ｃキーのカウントが閾値ｎ以上であると判定されない場合、プロセッサー１０は、Ｃキーがｍ秒以上押されたか否か判定する（ステップＳ１２５）。すなわち、本実施形態においては、Ｃキーが継続して押されている時間を計測するための時間計測変数が予め用意されており、初期値は０に設定されている。Ｃキーが押されると、プロセッサー１０は時間の計測を開始し、Ｃキーが押されていない状態になると時間の計測を停止し、時間計測変数に記録する。そこで、プロセッサー１０は、当該時間計測変数に０以外の数値が記録されるまで待機し、記録された数値がｍより大きい数値である場合には、Ｃキーがｍ秒以上押されたと判定する。
【００４５】
ステップＳ１２５において、Ｃキーがｍ秒以上押されたと判定されない場合、プロセッサー１０は、ステップＳ１００以降の処理を繰り返す。なお、この場合、Ｃキーが押された回数をカウントするためのカウント変数はリセットされないが、Ｃキーが継続して押されている時間を計測するための時間計測変数はリセットされる。ステップＳ１２５において、Ｃキーがｍ秒以上押されたと判定された場合、プロセッサー１０は、ステップＳ１２０によって通常状態へ移行する。すなわち、ステップＳ１１５またはＳ１２５において、第２キーであるＣキーで特殊な操作が行われたと判定されると、節電状態から通電状態へ移行する。
【００４６】
ステップＳ１０５において、操作されたキーがＣキーであると判定されない場合、プロセッサー１０は、Ｃキーのカウントをリセットする（ステップＳ１３０）。すなわち、この場合にはＣキーを連続して押す操作が行われていないと見なし、プロセッサー１０は、Ｃキーのカウントをリセットする。次に、プロセッサー１０は、操作されたキーが＊キーまたは＃キーであるか否かを判定する（ステップＳ１３５）。ステップＳ１３５において、操作されたキーが＊キーまたは＃キーであると判定されない場合、プロセッサー１０は、操作されたキーが数字キーであるか否かを判定する（ステップＳ１４０）。
【００４７】
すなわち、本実施形態においては、第１キーである数字キー、＊キー、＃キーに予め機能が割り当てられている。第１キーの表面には、図２に示すように、数字、＊、＃が記されており、利用者は、当該第１キーに記されたマークによって所望の処理を選択し、実行させる指示を行うことができる。すなわち、本実施形態において第１処理は予め複数個用意されており、利用者は、当該第１キーに記されたマークによって、そのいずれの処理を実施するのかを選択することができる。
【００４８】
本実施形態においては、最初に押された第１キーによってモードを選択可能である。すなわち、本実施形態においては予めデフォルト選択モードとお気に入り選択モードとが用意されている。デフォルト選択モードは、数字キーに対して予め決められた第１処理が割り当てられているモードであり、利用者は数字を選択することによって所望の第１処理を選択することができる。デフォルト選択モードは、多くの利用者が利用すると推定される処理を選択するモードとして利用可能であり、例えば、数字１にモノクロコピー、数字２にカラーコピーなどが割り当てられる構成が想定される。
【００４９】
お気に入り選択モードは、数字キーに対して利用者が予め所望の第１処理を割り当てるモードである。数字キーに対する第１処理の割り当ては、例えば、表示装置３０に表示されたユーザーインターフェースを用いて利用者が予め作業を行うことによって実施可能である。デフォルト選択モードは、利用者に特有の設定を伴う処理を選択するモードとして利用可能であり、例えば、数字１に高品質でのコピーと高品質の印刷媒体を利用するようなパラメータが設定されたカラーコピー、数字２に既定の部数のコピーを行うパラメータが設定されたコピーが割り当てられる構成が想定される。
【００５０】
そして、本実施形態においては、最初に押された第１キーが＊キーまたは＃キーである場合に、お気に入り選択モードが選択されたと見なされる。また、最初に押された第１キーが数字キーである場合に、デフォルト選択モードが選択されたと見なされる。すなわち、ステップＳ１３５において、操作されたキーが＊キーまたは＃キーであると判定された場合、プロセッサー１０は、お気に入り選択モードを開始する（ステップＳ１５０）。ステップＳ１４０において、操作されたキーが数字キーであると判定された場合、プロセッサー１０は、デフォルト選択モードを開始する（ステップＳ１４５）。
【００５１】
なお、ステップＳ１４０において、操作されたキーが数字キーであると判定されない場合、プロセッサー１０は、無効操作であることを案内する（ステップＳ１５５）。すなわち、ステップＳ１４０において、操作されたキーが数字キーであると判定されない場合は、例えば、第３キーが押された場合であり、節電状態では無効な操作である。そこで、プロセッサー１０は、無効操作であることを、例えば、図示しないスピーカーから既定音を出力させることによって利用者に案内する。
【００５２】
（２−１）デフォルト選択モード：
次に、デフォルト選択モードにおける処理を説明する。図４は、デフォルト選択モードにおける処理を示すフローチャートである。デフォルト選択モードが開始されると、プロセッサー１０は、入力されたキー番号を記憶させる（ステップＳ２００）。すなわち、デフォルト選択モードにおいては、デフォルト設定された処理を指定するための一桁のキー番号を記憶するデフォルト処理指定変数が予め用意されており、プロセッサー１０は、操作された数字キーのキー番号を当該デフォルト処理指定変数に代入する。
【００５３】
次に、プロセッサー１０は、物理キー３５の出力信号を監視し、物理キー３５による操作を受け付ける（ステップＳ２０５）。ステップＳ２０５において物理キー３５の操作が受け付けられると、プロセッサー１０は、操作されたキーが数字キーであるか否かを判定する（ステップＳ２１０）。
【００５４】
ステップＳ２１０において、操作されたキーが数字キーであると判定された場合、プロセッサー１０は、キー番号を更新する（ステップＳ２１５）。すなわち、プロセッサー１０は、ステップＳ２０５で受け付けた数字キーが示すキー番号によって、デフォルト処理指定変数を上書きする。ステップＳ２１５が終了すると、プロセッサー１０は、ステップＳ２０５以降の処理を繰り返す。このように、本実施形態においてデフォルト選択モードでは数字キーによって１桁の数字を受け付けるように構成されているが、むろん、２桁以上の数字を受け付けるように構成されていても良い。
【００５５】
ステップＳ２１０において、操作されたキーが数字キーであると判定されない場合、プロセッサー１０は、操作されたキーが＊キーまたは＃キーであるか否かを判定する（ステップＳ２２０）。ステップＳ２２０において、操作されたキーが＊キーまたは＃キーであると判定されない場合、プロセッサー１０は、操作されたキーがＣキーであるか否かを判定する（ステップＳ２２５）。
【００５６】
ステップＳ２２５において、操作されたキーがＣキーであると判定されると、プロセッサー１０は、利用者が操作をキャンセルしたと見なし、ステップＳ１００以降の処理を繰り返す。すなわち、プロセッサー１０は、節電状態における第１キーの操作が再度最初から開始されると見なす。ステップＳ２２５において、操作されたキーがＣキーであると判定されない場合、プロセッサー１０は、無効操作であることを案内する（ステップＳ２５５）。当該案内における処理はステップＳ１５５と同様の処理である。
【００５７】
一方、ステップＳ２２０において、操作されたキーが＊キーまたは＃キーであると判定された場合、プロセッサー１０は、デフォルト処理指定変数を参照し、有効な数字であるか否かを判定する（ステップＳ２３０）。本実施形態においては、０〜９の数字の一部（例えば、１〜３）に対してデフォルトで第１処理が割り当てられている。そこで、第１処理が割り当てられた数字がデフォルト処理指定変数に記録されている場合、プロセッサー１０は、有効な数字であると判定する。すなわち、最後に入力された数字キーのキー番号に、第１処理が割り当てられている場合、プロセッサー１０は、有効な数字であると判定する。
【００５８】
ステップＳ２３０において、有効な数字であると判定された場合、プロセッサー１０は、操作されたキーが＃キーであるか否かを判定する（ステップＳ２３５）。本実施形態においては、有効な数字の次に第１キーである＃キーが押された場合に、選択された第１処理の実行が指示される。また、有効な数字の次に第１キーである＊キーが押された場合に、選択された第１処理における印刷部数の指定が指示される。
【００５９】
そこで、ステップＳ２３５において、操作されたキーが＃キーであると判定された場合、プロセッサー１０は、数字が示す第１処理を実行する（ステップＳ２４０）。例えば、選択された第１処理がコピー処理である場合、プロセッサー１０は、電源回路５５に制御信号を出力して印刷部５０および読取部６０に電力を供給させる。また、プロセッサー１０は、表示装置３０に対する電力の供給は実施させない。そして、プロセッサー１０は、この状態で読取部６０を制御して画像データを生成し、画像データを印刷するための印刷データを生成して印刷部５０に転送する。この結果、原稿台に載置された原稿のコピーが行われる。
【００６０】
一方、ステップＳ２３５において、操作されたキーが＃キーであると判定されない場合、すなわち、操作されたキーが＊キーである場合、プロセッサー１０は、印刷部数の指定が可能であるか否かを判定する（ステップＳ２４５）。すなわち、プロセッサー１０は、デフォルト処理指定変数に記録された数字に対して割り当てられた第１処理を特定する。そして、当該第１処理が印刷部数を設定することが可能な処理である場合、プロセッサー１０は、印刷部数の指定が可能であると判定する。印刷部数の指定が可能でない場合とは、例えば、第１処理が印刷部５０や読取部６０のメンテナンスを行うための処理である場合が挙げられる。
【００６１】
ステップＳ２４５において、印刷部数の指定が可能であると判定された場合、プロセッサー１０は、印刷部数入力モードを開始する（ステップＳ２５０）。すなわち、これ以後の処理によって印刷部数の入力を受け付ける。ステップＳ２４５において、印刷部数の指定が可能であると判定されない場合、または、ステップＳ２３０において、有効な数字であると判定されない場合、プロセッサー１０は、ステップＳ２５５において無効操作であることを案内する。
【００６２】
（２−２）お気に入り選択モード：
次に、お気に入り選択モードにおける処理を説明する。図５は、お気に入り選択モードにおける処理を示すフローチャートである。お気に入り選択モードが開始されると、プロセッサー１０は、物理キー３５の出力信号を監視し、物理キー３５による操作を受け付ける（ステップＳ３００）。ステップＳ３００において物理キー３５の操作が受け付けられると、プロセッサー１０は、操作されたキーが数字キーであるか否かを判定する（ステップＳ３０５）。
【００６３】
ステップＳ３０５において、操作されたキーが数字キーであると判定された場合、プロセッサー１０は、入力された数字が（Ｎ＋１）桁目であるか否かを判定する（ステップＳ３１０）。すなわち、お気に入り選択モードにおいては、お気に入りに設定された処理を指定するための番号を記憶するお気に入り処理指定変数が予め用意されている。本実施形態においては、Ｎ桁（例えば２桁）が上限の桁数として予め設定されている。そこで、プロセッサー１０は、お気に入り処理指定変数を参照し、当該お気に入り処理指定変数が示す数値が（Ｎ＋１）桁目であれば上限の桁であるＮ桁目より多くの桁の入力が行われたと判定する。
【００６４】
ステップＳ３１０において、入力された数字が（Ｎ＋１）桁目であると判定されない場合、プロセッサー１０は、キー番号を追加記憶する（ステップＳ３１５）。すなわち、プロセッサー１０は、当該お気に入り処理指定変数に記録されていた数値を１０倍し、操作された数字キーのキー番号を１桁目の数値とした数値を当該お気に入り処理指定変数に代入する。プロセッサー１０は、この後、ステップＳ３００以降の処理を繰り返す。このように、本実施形態においてお気に入り選択モードでは数字キーによって最大Ｎ桁の数字を受け付けるように構成されているが、むろん、Ｎは種々の値であって良い。ステップＳ３１０において、入力された数字が（Ｎ＋１）桁目であると判定された場合、プロセッサー１０は、無効操作であることを案内する（ステップＳ３６０）。当該案内における処理はステップＳ１５５と同様の処理である。
【００６５】
ステップＳ３０５において、操作されたキーが数字キーであると判定されない場合、プロセッサー１０は、操作されたキーが＊キーまたは＃キーであるか否かを判定する（ステップＳ３２０）。ステップＳ３２０において、操作されたキーが＊キーまたは＃キーであると判定されない場合、プロセッサー１０は、操作されたキーがＣキーであるか否かを判定する（ステップＳ３２５）。
【００６６】
ステップＳ３２５において、操作されたキーがＣキーであると判定されると、プロセッサー１０は、利用者が操作をキャンセルしたと見なし、ステップＳ１００以降の処理を繰り返す。すなわち、プロセッサー１０は、節電状態における第１キーの操作が再度最初から開始されると見なす。ステップＳ３２５において、操作されたキーがＣキーであると判定されない場合、プロセッサー１０は、無効操作であることを案内する（ステップＳ３６０）。
【００６７】
一方、ステップＳ３２０において、操作されたキーが＊キーまたは＃キーであると判定された場合、プロセッサー１０は、お気に入り処理指定変数を参照し、有効な数字であるか否かを判定する（ステップＳ３３０）。本実施形態において利用者が予め所望の第１処理をお気に入りの処理として割り当てると、Ｎ桁の数字の少なくとも１個（例えば、１や１１等）に対して第１処理が割り当てられている。そこで、第１処理が割り当てられた数字が、お気に入り処理指定変数に記録されている場合、プロセッサー１０は、有効な数字であると判定する。すなわち、入力された数字キーが示す数字列に、第１処理が割り当てられている場合、プロセッサー１０は、有効な数字であると判定する。
【００６８】
ステップＳ３３０において、有効な数字であると判定された場合、プロセッサー１０は、操作されたキーが＃キーであるか否かを判定する（ステップＳ３３５）。本実施形態においては、有効な数字の次に第１キーである＃キーが押された場合に、選択された第１処理の実行が指示される。また、有効な数字の次に第１キーである＊キーが押された場合に、選択された第１処理における印刷部数の指定が指示される。
【００６９】
そこで、ステップＳ３３５において、操作されたキーが＃キーであると判定された場合、プロセッサー１０は、数字が示す第１処理を実行する（ステップＳ３４０）。例えば、選択された第１処理がコピー処理である場合、プロセッサー１０は、電源回路５５に制御信号を出力して印刷部５０および読取部６０に電力を供給させる。また、プロセッサー１０は、表示装置３０に対する電力の供給は実施させない。そして、プロセッサー１０は、この状態で読取部６０を制御して画像データを生成し、画像データを印刷するための印刷データを生成して印刷部５０に転送する。この結果、原稿台に載置された原稿のコピーが行われる。
【００７０】
一方、ステップＳ３３５において、操作されたキーが＃キーであると判定されない場合、すなわち、操作されたキーが＊キーである場合、プロセッサー１０は、印刷部数の指定が可能であるか否かを判定する（ステップＳ３４５）。ステップＳ３４５の処理はステップＳ２４５の処理と同等である。
【００７１】
ステップＳ３４５において、印刷部数の指定が可能であると判定された場合、プロセッサー１０は、印刷部数入力モードを開始する（ステップＳ３５０）。すなわち、これ以後の処理によって印刷部数の入力を受け付ける。ステップＳ３４５において、印刷部数の指定が可能であると判定されない場合、または、ステップＳ３３０において、有効な数字であると判定されない場合、プロセッサー１０は、キー番号をリセットする（ステップＳ３５５）。すなわち、お気に入り処理指定変数を０に初期化する。この後、プロセッサー１０は、ステップＳ３６０以降の処理を実行する。
【００７２】
（２−３）印刷部数入力モード：
次に、印刷部数入力モードにおける処理を説明する。図６は、印刷部数入力モードにおける処理を示すフローチャートである。印刷部数入力モードが開始されると、プロセッサー１０は、物理キー３５の出力信号を監視し、物理キー３５による操作を受け付ける（ステップＳ４００）。ステップＳ４００において物理キー３５の操作が受け付けられると、プロセッサー１０は、操作されたキーが数字キーであるか否かを判定する（ステップＳ４０５）。
【００７３】
ステップＳ４０５において、操作されたキーが数字キーであると判定された場合、プロセッサー１０は、入力された数字が（Ｘ＋１）桁目であるか否かを判定する（ステップＳ４１０）。すなわち、印刷部数入力モードにおいては、入力部数を記憶するための部数変数が予め用意されている。本実施形態においては、Ｘ桁（例えば２桁）が上限の桁数として予め設定されている。そこで、プロセッサー１０は、部数変数を参照し、部数変数が示す数値が（Ｘ＋１）桁目であれば上限の桁であるＸ桁目より多くの桁の入力が行われたと判定する。
【００７４】
ステップＳ４１０において、入力された数字が（Ｘ＋１）桁目であると判定されない場合、プロセッサー１０は、キー番号を追加記憶する（ステップＳ４１５）。すなわち、プロセッサー１０は、当該部数変数に記録された数値を１０倍し、操作された数字キーのキー番号を１桁目の数値とした数値を当該部数変数に代入する。プロセッサー１０は、この後、ステップＳ４００以降の処理を繰り返す。このように、本実施形態において印刷部数入力モードでは数字キーによって最大Ｘ桁の数字を受け付けるように構成されているが、むろん、Ｘは種々の値であって良い。
【００７５】
ステップＳ４１０において、入力された数字が（Ｘ＋１）桁目であると判定された場合、プロセッサー１０は、キー番号をリセットする（ステップＳ４２０）。すなわち、プロセッサー１０は、部数変数を０に初期化する。次に、プロセッサー１０は、無効操作であることを案内する（ステップＳ４４０）。当該案内における処理はステップＳ１５５と同様の処理である。そして、プロセッサー１０は、ステップＳ４００以降の処理を繰り返す。
【００７６】
ステップＳ４０５において、操作されたキーが数字キーであると判定されない場合、プロセッサー１０は、操作されたキーが＃キーであるか否かを判定する（ステップＳ４２５）。ステップＳ４２５において、操作されたキーが＃キーであると判定されない場合、プロセッサー１０は、操作されたキーがＣキーであるか否かを判定する（ステップＳ４３０）。
【００７７】
ステップＳ４３０において、操作されたキーがＣキーであると判定されると、プロセッサー１０は、利用者が操作をキャンセルしたと見なし、ステップＳ１００以降の処理を繰り返す。すなわち、プロセッサー１０は、節電状態における第１キーの操作が再度最初から開始されると見なす。ステップＳ４３０において、操作されたキーがＣキーであると判定されない場合（例えば、＊キーが押された場合等）プロセッサー１０は、無効操作であることを案内する（ステップＳ４４０）。
【００７８】
一方、ステップＳ４２５において、操作されたキーが＃キーであると判定された場合、プロセッサー１０は、数字が示す第１処理を指定された部数で実行する（ステップＳ４３５）。例えば、選択された第１処理がコピー処理である場合、プロセッサー１０は、電源回路５５に制御信号を出力して印刷部５０および読取部６０に電力を供給させる。また、プロセッサー１０は、表示装置３０に対する電力の供給は実施させない。そして、プロセッサー１０は、この状態で読取部６０を制御して画像データを生成し、画像データを印刷するための印刷データを生成して印刷部５０に転送する。さらに、プロセッサー１０は、印刷部５０を制御し、部数変数が示す数値だけ印刷部５０による印刷を繰り返す。この結果、原稿台に載置された原稿のコピーが、入力された部数だけ得られる。
【００７９】
（２−４）キャンセル受け付け処理：
図７は、ステップＳ２４０，Ｓ３４０，Ｓ４３５が実行された後に実行される処理である。本実施形態においては、この処理において第１処理として実行されたジョブのキャンセルを受け付けることができる。具体的には、プロセッサー１０は、物理キー３５の出力信号を監視し、物理キー３５による操作を受け付ける処理を行い（ステップＳ５００）、利用者による操作が受け付けられたか否かを判定する（ステップＳ５０５）。
【００８０】
ステップＳ５０５において、利用者による操作が受け付けられたと判定されない場合、プロセッサー１０は、第１処理として実行されたジョブが終了したか否かを判定する（ステップＳ５１０）。そして、ジョブが終了したと判定されない場合、プロセッサー１０は、ステップＳ５００以降の処理を繰り返す。ステップＳ５１０において、ジョブが終了したと判定された場合、プロセッサー１０は、電力の供給を停止させる（ステップＳ５４０）。すなわち、プロセッサー１０は、電源回路５５を制御して印刷部５０および読取部６０に対する電力の供給を停止させる。この結果、複合機１は再び節電状態となる。この後、プロセッサー１０は、ステップＳ１００以降の処理を繰り返す。すなわち、プロセッサー１０は、節電状態における第１キーの操作が再度最初から開始されると見なす。
【００８１】
一方、ステップＳ５０５において、利用者による操作が受け付けられたと判定された場合、プロセッサー１０は、操作されたキーがＣキーであるか否かを判定する（ステップＳ５１５）。ステップＳ５１５において、操作されたキーがＣキーであると判定されない場合、プロセッサー１０は、無効操作であることを案内する（ステップＳ５３０）。当該案内における処理はステップＳ１５５と同様の処理である。
【００８２】
ステップＳ５１５において、操作されたキーがＣキーであると判定されると、プロセッサー１０は、利用者がジョブのキャンセルを指示したと見なし、実行中のジョブのキャンセルが可能であるか否かを判定する（ステップＳ５２０）。すなわち、第１処理にはキャンセル可能なジョブとキャンセル不可能なジョブとが存在する。また、キャンセル可能なジョブであってもキャンセル可能なタイミングとキャンセル不可能なタイミングとが存在する。
【００８３】
例えば、印刷部５０が備えるインク吐出ノズルのクリーニング処理は、開始後にキャンセルすることができない。また、印刷処理においては、印刷部５０に印刷データが転送され、印刷が開始された場合にはキャンセルすることができないが、印刷データが転送される前であればキャンセルすることができる。むろん、印刷が開始された場合であっても、印刷媒体の途中まで印刷した状態で中断して良いならばキャンセル可能とされても良い。
【００８４】
いずれにしても、プロセッサー１０は、ジョブの種類と、タイミングに基づいて現在実行中のジョブがキャンセル可能であるか否かを判定する。ステップＳ５２０において、実行中のジョブのキャンセルが可能であると判定されない場合、プロセッサー１０は、無効操作であることを案内する（ステップＳ５３０）。
【００８５】
一方、ステップＳ５２０において、実行中のジョブのキャンセルが可能であると判定された場合、プロセッサー１０は、ジョブをキャンセルする（ステップＳ５２５）。すなわち、プロセッサー１０は、第１処理を実行していた機構に制御信号を出力し、第１処理を中断させる。例えば、コピーが行われていた場合において、印刷データが転送される前にキャンセルが指示された場合であれば、プロセッサー１０は、印刷部５０に対する印刷データの転送を行わない。
【００８６】
ジョブがキャンセルされると、プロセッサー１０は、第１処理を実行していた第１処理機構に終了処理を行わせた後、電力の供給を停止させる（ステップＳ５４０）。すなわち、プロセッサー１０は、複合機１を再び節電状態とし、ステップＳ１００以降の処理を繰り返す。ここで、終了処理とは、搬送中の印刷媒体を排出する処理等の節電状態へ移行するために必要となる処理である。
【００８７】
（３）動作例：
以上の処理によれば、表示装置３０に電力が供給されておらず表示パネルによる案内が行われていない状態であっても、利用者は複合機１を利用することができる。例えば、デフォルトの第１処理として数字１にモノクロコピー、数字２にカラーコピーが割り当てられている場合を想定する。この場合において、節電状態で利用者が原稿台に原稿を載置して数字キーの１、＃キーを順に押すと、モノクロコピーが実行される。
【００８８】
すなわち、数字キーの１が押されると、プロセッサー１０は、ステップＳ１００，Ｓ１０５，Ｓ１３０，Ｓ１３５，Ｓ１４０を経てデフォルト選択モードを開始する。デフォルト選択モードでは、ステップＳ２００においてデフォルト処理指定変数に１が代入される。そして、ステップＳ２０５において＃キーが受け付けられ、プロセッサー１０は、ステップＳ２１０，Ｓ２２０を経てステップＳ２３０を実行する。数字の１にはデフォルトでモノクロコピーが割り当てられているため、プロセッサー１０は、ステップＳ２３０において有効な数字と判定し、ステップＳ２３５を経てステップＳ２４０においてモノクロコピーを実行する。この後、利用者がＣキーを押さなければモノクロコピーが完了し、再度節電状態となる。従って、利用者は、極めて簡易な入力によってモノクロコピーを実行させることができる。
【００８９】
次に、お気に入りの第１処理として数字１１に高品質のモノクロコピー、数字１２に高品質のカラーコピーが割り当てられている場合を想定する。この場合において、節電状態で利用者が原稿台に原稿を載置して＃キー、数字キーの１、数字キーの２、＊キー、数字キーの１、数字キーの０、＃キーを順に押すと、高品質のカラーコピーが１０部得られる。
【００９０】
すなわち、＃キーが押されると、プロセッサー１０は、ステップＳ１００，Ｓ１０５，Ｓ１３０，Ｓ１３５を経てお気に入り選択モードを開始する。お気に入り選択モードでは、ステップＳ３００において数字キーの１が受け付けられ、お気に入り処理指定変数に１が代入される。次に、プロセッサー１０がステップＳ３１０，３１５を経て再度ステップＳ３００を実行することで数字キーの２が受け付けられる。この結果、お気に入り処理指定変数に数字１２が代入された状態となる。
【００９１】
次に、プロセッサー１０がステップＳ３００によって＊キーを受け付けると、プロセッサー１０は、ステップＳ３０５，Ｓ３２０を経てステップＳ３３０を実行する。数字の１２にはお気に入りの処理として高品質のカラーコピーが割り当てられているため、プロセッサー１０は、ステップＳ３３０において有効な数字と判定する。そして、プロセッサー１０は、ステップＳ３３５、Ｓ３４５を経てＳ３５０において印刷部数入力モードを開始する。
【００９２】
印刷部数入力モードでは、ステップＳ４００において数字キーの１が受け付けられ、部数変数に１が代入される。次に、プロセッサー１０がステップＳ４１０，４１５を経て再度ステップＳ４００を実行することで数字キーの０が受け付けられる。この結果、部数変数に数字１０が代入された状態となる。この後、プロセッサー１０が再度ステップＳ４００を実行することで＃キーが受け付けられる。この場合、プロセッサー１０は、ステップＳ４０５，Ｓ４２５を経てステップＳ４３５を実行する。
【００９３】
数字の１２にはお気に入り選択モードで高品質のカラーコピーが割り当てられているため、プロセッサー１０は、利用者がＣキーを押さなければ高品質のカラーコピーにより１０部のコピーを印刷する。従って、利用者は、極めて簡易な入力によってモノクロコピーを実行させることができる。また、以上の構成によれば、数値によって第１処理の指定や印刷部数の指定を行いつつ、その指定の合間に＃や＊によって利用者の意図を入力する規則に従って第１処理を実行させることができる。また、利用者が操作を誤ったり、操作途中で入力内容を忘れてしまったりした場合、Ｃキーにより簡単に再入力を行うことが可能である。従って、表示装置３０による画像案内が行われなくても、簡単に利用者の意図に従って処理を実行させることができる。
【００９４】
（４）他の実施形態：
以上の実施形態は本発明を実施するための一例であり、他にも種々の実施形態を採用可能である。例えば、表示システムは複合機以外の機器に組み込まれても良いし、タブレット端末やスマートフォン端末などのような汎用コンピューターに組み込まれても良い。さらに、以上の実施形態のように、節電状態における物理キーへの操作で各種の処理を実行可能にする手法は、プログラムの発明、方法の発明や写真データの生産方法の発明としても実現可能である。
【００９５】
また請求項に記載された機能は、構成自体で機能が特定されるハードウェア資源、プログラムにより機能が特定されるハードウェア資源、又はそれらの組み合わせにより実現される。また、これら各部の機能は、各々が物理的に互いに独立したハードウェア資源で実現されるものに限定されない。さらに、上述の実施形態は一例であり、一部の構成が省略されたり、他の構成が追加されたり、置換されたりする実施形態が採用され得る。
【００９６】
表示システムは、表示装置に電力を供給する通常状態と表示装置に電力を供給しない節電状態とを備えていれば良く、当該表示システムは、上述の実施形態のようなプリンター以外にも、種々の装置に備えられていて良い。例えば、スキャナーに備えられていても良いし、プリンターと他の機能（スキャナー等）とを有する複合機に備えられていても良い。また、プロジェクターや製紙機など、他の電子機器に備えられていても良い。
【００９７】
通常状態は、表示装置に電力を供給する状態であれば良い。すなわち、通常状態においては、電力が供給されることにより表示装置においていつでも表示を実行できる状態であれば良い。通電状態においては、少なくとも表示装置に電力が供給されていれば良く、他の機構に対する電力の供給が停止されていても良いし、電力が供給されていても良い。
【００９８】
節電状態は、表示装置に電力が供給されない状態である。従って、表示装置において任意の画像を表示することはできないが、表示装置において表示を行うための電力は供給されないため、表示装置において表示のための電力消費は生じない。節電状態においては、少なくとも表示装置への電力の供給が停止されていれば良く、他の機構に対する電力の供給が停止されていても良いし、電力が供給されていても良い。
【００９９】
第１キーは物理キーであれば良い。すなわち、第１キーは、表示装置等において表示される画像やセンサーに対するジェスチャーを用いて入力が行われる入力態様ではなく、利用者の指等によって可動部を動作させることによって入力が行われる。キーの形状や大きさ、種類、数等は上述の実施形態に限定されず、各種のキーが採用されてよい。例えば、十字キーやＯＫボタン、キャンセルボタン等によって第１キーが構成されても良い。また、ボタン以外のキー、例えば、ジョグダイヤルやスライダー等によって第１キーが構成されても良い。
【０１００】
さらに、第１キーを１回押すだけでその第１キーに対応する第１処理を実行するようにしても良い。この場合、誤って第１キーを押された可能性を鑑み、所定時間以上の長押しでその第１キーに対応する第１処理を実行することが望ましい。
【０１０１】
また、節電中には、押されることで必ず節電状態から復帰させる復帰専用の物理キーを、第１キーよりも操作を行い難い形状で第２キーとは別に設けてもよい。初心者などの操作方法になれていないユーザーの場合、押すだけで通常状態に移行して表示装置の表示を見ながら操作を行えるようになるので、使いやすくなる。
【０１０２】
また、初心者などの操作方法になれていないユーザーがどの第１キーを操作すればどの第１処理が行われるのかわかりやすいように、第１キー自体に又は第１キーの傍にその第１キーに対応する第１処理を示す文字やマークを付すことが望ましい。例えば、図２の数字キーの１の下側に「（モノクロコピー）」という文字列を付すことで、節電中に数字キーの１を押すことでモノクロコピーができるということをユーザーが把握できるようにする。
【０１０３】
プロセッサーは、各種の処理を実行可能な装置であれば良く、単一のチップで構成されていても良いし、複数のチップで構成されていても良い。また、プロセッサーは、上述の実施形態のように、ＣＰＵ，ＲＡＭ，ＲＯＭ等を備えている構成に限定されない。例えば、ＣＰＵに変えて、ＡＳＩＣを用いたり、ＣＰＵとＡＳＩＣとの協働としたりしても良い。
【０１０４】
プロセッサーは、節電状態で第１キーが操作されると表示装置に電力を供給しない状態で第１処理機構に第１処理を実行させることができればよい。すなわち、プロセッサーは、表示装置に対して入力インターフェースを表示させることなく、第１キーによって指示された第１処理を第１処理機構に実行させることができればよい。
【０１０５】
なお、第１キーが操作された場合においては、少なくとも表示装置に電力を供給しない状態になっていればよく、当該状態は節電状態であっても良いし、節電状態と異なっていてもよい。例えば、節電状態において、第１処理機構に対する電力の供給が停止されるのであれば、第１キーが操作されて第１処理機構に電力が供給されることで節電状態ではなくなるが、この状態であっても表示装置には電力が供給されない。なお、節電状態において電力の供給が停止される対象が表示装置のみであれば、第１キーが操作された場合に節電状態が維持された状態で第１処理機構に電力が供給され、第１処理が行われる。
【０１０６】
第１処理は、節電状態における第１キーに対する操作に対応する処理として予め決められた処理であれば良い。従って、上述の実施形態のように表示システムが複合機に備えられるのであれば、各種の印刷やスキャン、複合機に関連する処理が第１処理となり得る。むろん、これらの例に限定されないし他の電子機器に表示システムが備えられるのであれば、他の電子機器における処理が第１処理となってよい。例えば、表示システムが製紙機に備えられるのであれば、製紙に関する各種の処理が第１処理となり得る。
【０１０７】
第１処理は第１処理機構として機能する印刷部５０および読取部６０によるコピー処理である例を説明したが、むろん、他の処理であっても良いし、当該他の処理とコピー処理とが第１処理に含まれても良い。他の処理としては、例えば、印刷部５０および読取部６０におけるメンテナンス処理（インクタンクの交換処理等）やトラブル解消処理（紙詰まり解消処理等）であっても良い。
【０１０８】
第１処理機構は、第１処理を実行するための機構であれば良く、上述の実施形態のような印刷部および読取部に限定されない。例えば、印刷部、読取部の一方が第１処理機構になっても良いし、表示システムが製紙機に備えられるのであれば製紙部が第１処理機構となり得る。
【０１０９】
電力を供給したり、停止したりするための構成は、上述の実施形態のように供給先への電力の出力を停止させる構成以外にも種々の構成を採用可能である。例えば、表示装置に対する電力の供給を停止させる際に、電源回路によって、商用電源の電圧を表示装置を駆動させるための電圧に変換する構成が採用されている場合、当該変換を行う部分の回路を停止させることによって表示装置に対する電力の供給を停止する構成等であっても良い。
【０１１０】
第２処理は、通常状態における第１キーに対する操作に対応する処理として予め決められた処理であり、第１処理と異なっていれば良い。すなわち、第１処理と第２処理とでは第１キーと処理との対応関係が異なっていれば良く、通常状態と節電状態とにおいて第１キーによって同種の処理（例えば、モノクロコピー）を起動可能であるが、通常状態と節電状態とで第１キーの操作方法が異なるような構成が採用されていてもよい。第２処理機構は、第２処理を実行可能であれば良く、第１処理機構と同一の機構（ただし、処理内容が異なり得る）であっても良いし、異なる機構であっても良い。
【０１１１】
節電状態において、ネットワークを介して外部のコンピューターから印刷処理の実行などの指示を受け付けた場合に、第１キーが操作されたときと同様に表示装置には電力を供給することなく指示された処理を実行し、処理が完了すれば表示装置には電力を供給しないまま節電状態に戻るというようにしても良い。
【符号の説明】
【０１１２】
１…複合機１０…プロセッサー、１０ａ…表示制御部、１１…ファイル、２０…不揮発性メモリー、２０ａ…表示データ、３０…タッチパネルディスプレイ、４０…通信部、５０…印刷部
【図１】
2019147285.tif 000003
【図２】
2019147285.tif 000004
【図３】
2019147285.tif 000005
【図４】
2019147285.tif 000006
【図５】
2019147285.tif 000007
【図６】
2019147285.tif 000008
【図７】
2019147285.tif 000009